(57)【要約】【課題】  汎用で、確実かつ簡単に拭き取り作業を行うことができる拭き取り具を提供する。【解決手段】  可撓性および弾性を有する芯材１１の周囲を布材１２で被覆した拭き取り部材１０と、該拭き取り部材１０を着脱可能な把持部材２０とを備える。前記布材１２は、超極細繊維よりなるアクリル繊維をテレコ編みにより、複数の畝形状が並列するように編み立てられており、前記拭き取り部材１０は、前記布材１２の畝形状の並列方向が拭き取り方向となるようにして前記把持部材２０に取り付けることを特徴とする。【選択図】          図１
2005066069.tif 000002
【特許請求の範囲】
【請求項１】
可撓性および弾性を有する芯材の周囲を布材で被覆した拭き取り部材と、該拭き取り部材を着脱可能な把持部材とを備えた拭き取り具であって、
前記布材は、超極細繊維よりなるアクリル繊維をテレコ編みにより、複数の畝形状が並列するように編み立てられており、
前記拭き取り部材は、前記布材の畝形状の並列方向が拭き取り方向となるようにして前記把持部材に取り付けることを特徴とする拭き取り具。
【請求項２】
前記把持部材は、前記拭き取り部材を把持する把持部と、該把持部から斜め上方に向かって延設した取っ手部とからなることを特徴とする請求項１記載の拭き取り具。
【請求項３】
前記把持部材は、前記拭き取り部材を係止するための係止部を有することを特徴とする請求項１または２記載の拭き取り具。
【請求項４】
前記拭き取り部材の芯材は、硬さａ（Ｎ）が１７６．４≦ａ≦２１５．６であり、密度ｂ（ｋｇ／ｃｍ3）が２３≦ｂ≦２７であることを特徴とする請求項１〜３のうちいずれか１項記載の拭き取り具。
【請求項５】
前記拭き取り部材は、角柱状であることを特徴とする請求項１〜４のうちいずれか１項記載の拭き取り具。
【発明の詳細な説明】
【技術分野】
【０００１】
本発明は、車の水洗い、窓ガラスやキッチン周りの洗浄、家具の掃除、ホワイトボード用の黒板消し等に用いられる拭き取り具に関する。
【背景技術】
【０００２】
従来、清掃に用いられる拭き取り具が種々開発されている。例えば、ホワイトボード用の黒板消しとして、直方体状の中材を製電性繊維からなる布材により被覆し、これを黒板消しカバーに取り付けた黒板消しがある（例えば、特許文献１参照）。この黒板消しによれば、字消しを行う際にホワイトボードを擦っても静電気が生じることがなく、黒板面に対するマーカー滓の付着を無くして綺麗に字消しを行うことができるとされている（例えば、特許文献１参照）。
【０００３】
【特許文献１】実願昭６０−１０８２５７号（実開昭６２−１５９９５号）のマイクロフィルム
【発明の開示】
【発明が解決しようとする課題】
【０００４】
しかしながら、前記特許文献１に記載された技術では、静電気の発生を防止することはできるが、黒板面にマーカーインクが強固に付着している場合には、黒板面を強く擦らなければ字消しを行うことができない。
【０００５】
また、黒板消しカバーを直接持って作業を行うため、手の届かない高所の字消しを行う場合には、踏み台等が必要となる。
さらに、当該技術は黒板消しに特別に制作されたもので、車の水洗い、窓ガラスやキッチン周りの洗浄、家具の掃除等、幅広い用途に使用することができない。
【０００６】
本発明は、上述した従来の技術が有する問題点に鑑み提案されたもので、幅広い用途で、確実かつ簡単に拭き取り作業を行うことができる拭き取り具を提供することを目的とする。
【課題を解決するための手段】
【０００７】
本発明に係る拭き取り具は、上述した目的を達成するため、以下の特徴点を備えている。
すなわち、本発明に係る拭き取り具は、可撓性および弾性を有する芯材の周囲を布材で被覆した拭き取り部材と、該拭き取り部材を着脱可能な把持部材とを備えた拭き取り具であって、
前記布材は、超極細繊維よりなるアクリル繊維をテレコ編みにより、複数の畝形状が並列するように編み立てられており、
前記拭き取り部材は、前記布材の畝形状の並列方向が拭き取り方向となるようにして前記把持部材に取り付けることを特徴とするものである。
【０００８】
このような構成からなる拭き取り具では、把持部材に拭き取り部材を取り付け、汚れの拭き取り作業を行う。この際、拭き取り方向と布材の畝形状の並列方向が一致しているため、隣り合う畝形状間の谷部内に汚れが取り込まれる。
【０００９】
また、前記拭き取り具において、前記把持部材は、前記拭き取り部材を把持する把持部と、該把持部から斜め上方に向かって延設した取っ手部とからなることが好ましい。
このような構成からなる拭き取り具では、取っ手部を持って拭き取り作業を行う。
【００１０】
また、前記拭き取り具において、前記把持部材は、前記拭き取り部材を係止するための係止部を有することが好ましい。
このような構成からなる拭き取り具では、拭き取り部材が係止部により把持部材に確実に係止される。
【００１１】
また、前記拭き取り具において、前記拭き取り部材の芯材は、硬さａ（Ｎ）が１７６．４≦ａ≦２１５．６であり、密度ｂ（ｋｇ／ｃｍ3）が２３≦ｂ≦２７であることが好ましい。
このような構成からなる拭き取り具では、芯材の弾性力が適度に発揮され、拭き取り部材が被拭き取り面に密着する。
【００１２】
また、前記拭き取り具において、前記拭き取り部材は、角柱状であることが好ましい。
このような構成からなる拭き取り具では、拭き取り面が汚れた際に、拭き取り部材を脱着して拭き取り面を入れ替えることができる。
【発明の効果】
【００１３】
本発明に係る拭き取り具によれば、拭き取り方向と布材の畝形状の並列方向が一致しているため、隣り合う畝形状間の谷部内に汚れが取り込まれるので、被拭き取り面に付着した汚れを確実に拭き取ることができる。
【００１４】
また、本発明に係る拭き取り具によれば、取っ手部を持って拭き取り作業を行うことができるので、被拭き取り面が手の届かない高所の場合であっても、容易に拭き取り作業を行うことができる。
【００１５】
また、本発明に係る拭き取り具によれば、拭き取り部材が係止部により把持部材に確実に係止されるので、拭き取り作業中に把持部材から拭き取り部材が外れるおそれがなく、効率よく拭き取り作業を行うことができる。
【００１６】
また、本発明に係る拭き取り具によれば、拭き取り作業に最適となるように芯材の硬度および密度を設定しているので、拭き取り具を被拭き取り面に押し付けた際に、芯材の弾性力が適度に発揮されて拭き取り部材が被拭き取り面に密着し、被拭き取り面に付着した汚れを確実かつ容易に拭き取ることができる。更に、前記芯材の硬度および密度の範囲のものを用いると、拭き取り部材を圧縮し把持部材に装着する際に、芯材を圧縮力を強いることがなく装着できる。そして、拭き取り作業中には、硬度および密度が適正であり、把持部材から拭き取り部材が外れるおそれがなく、保持状態を維持することが出来る。
【００１７】
また、本発明に係る拭き取り具によれば、拭き取り部材が角柱状であるため、拭き取り面が汚れた際に、拭き取り部材を脱着して拭き取り面を入れ替えることができ、効率よく拭き取り作業を行うことができる。さらに、拭き取り面を入れ替えて、常に綺麗な拭き取り面を使用することにより、拭き取り面に取り込んだ汚れが被拭き取り面に再付着することがない。また、布材が汚れた場合には、芯材から取り外し、これを洗濯し、芯材に取り付けた後、把持部材に取り付け再使用をすることが出来、省資源の観点から好ましい製品とすることが出来る。
【発明を実施するための最良の形態】
【００１８】
以下、図面を参照して、本発明に係る拭き取り具の実施形態を説明する。
図１は、本発明の実施形態に係る拭き取り具の斜視図、図２は、本発明の実施形態に係る拭き取り具の分解斜視図である。また、図３および図４は、本発明の実施形態に係る拭き取り具の把持部を示す斜視図である。
【００１９】
本発明の実施形態に係る拭き取り具は、図１および図２に示すように、拭き取り部材１０と、この拭き取り部材１０を着脱可能な把持部材２０とからなる。
【００２０】
＜拭き取り部材＞
拭き取り部材１０は、可撓性および弾性を有する芯材１１の周囲を布材１２で被覆して形成される。
【００２１】
＜芯材＞
芯材１１は、例えば、ポリウレタンからなるスポンジにより形成される。また、芯材１１は、その硬さａ（Ｎ）が１７６．４≦ａ≦２１５．６であり、密度ｂ（ｋｇ／ｃｍ3）が２３≦ｂ≦２７であることが好ましい。下記表１に、４種類の芯材１１について行った物性比較試験結果を示す。
【００２２】
【表１】
2005066069.tif 000003
【００２３】
表１に示すように、物性比較試験用にそれぞれ硬さおよび密度が異なる４種類のスポンジ（ウレタンフォーム）Ａ，Ｂ，Ｃ，Ｄを用意した。
これらの芯材１１を用いて拭き取り部材１０を作成し、車の水洗い、窓ガラスやキッチン周りの洗浄、家具の掃除、ホワイトボード用の黒板消しを行ったところ、スポンジＡを用いた場合に、被拭き取り面の隅々まで素早く汚れを落とすことができた。したがって、本実施形態では、上記硬さおよび密度を有するスポンジ（ウレタンフォーム）により芯材１１を形成することが好ましい。
【００２４】
また、上記スポンジＡを用いた場合には、把持部材に対する拭き取り部材の着脱が比較的容易に行うことが出来たのであるが、他のスポンジでは、清掃作業等の使用中にスポンジがはずれることがあった。なお、スポンジＡより固いスポンジは、把持部材に対する拭き取り部材の着脱作業に労力を必要としたため上記清掃作業から除いている。
【００２５】
また、芯材１１は、４角柱状とすることが好ましい。これにより、拭き取り面が汚れた際に、拭き取り部材１０を脱着して拭き取り面を入れ替えることができる。
芯材１１は、例えば径方向が各４５ｍｍ、長さ方向が１３８ｍｍとなるように形成される。
【００２６】
なお、芯材１１はポリウレタンからなるスポンジに限定されず、ゴム、発泡性プラスチック等を用いることができる。
また、芯材１１の形状は５角柱、６角柱等であってもよいが、４角柱状が使用時の拭き取り部材の安定性等を考えれば好ましい形状である。
【００２７】
＜布材＞
布材１２は、超極細繊維よりなるアクリル繊維を用いてテレコ編みにより、複数の畝形状が並列するように編み立てられている。アクリル繊維は、髪の毛の約１／１０００の太さを有する超極細繊維を用いている。ここにおいて、編み立て方法としてテレコ編みの他、フライス編みにより製造した布材もあるが、テレコ編みはフライス編みに比較して、拭き取り性能が良く、より一層確実に汚れを拭き取ることができたので、本発明では、テレコ編みを採用した。
【００２８】
なお、布材１２は、畝形状の延びる方向が長さ方向となるようにして筒状に縫いつけて、芯材１１に取り付ける。これにより、芯材１１の長手方向に畝形状が延びるようにして、芯材１１が被覆される。このように畝形状の延びる方向と芯材１１の長手方向を一致させ、使用時に畝形状と直角方向に拭き取り作業を行うように構成した。
この構成により、被拭き取り物表面の汚れを、効率よく拭き取りことが出来、畝形状の延びる方向を反対方向にしたものでは、拭き取りムラが生じていた。
【００２９】
＜把持部材＞
把持部材２０は、拭き取り部材１０を着脱可能に把持する把持部２１を備えている。また、把持部２１には、連結部２２を介して取っ手部２３が延設されている。そして、把持部材２０は、例えばＡＢＳ樹脂等のプラスチック類、アルミ合金等の金属等適宜材料により制作し、これらを一体的に、あるいは、各部ごと、あるいは２つの部材に分けて成型する。本実施の形態では、把持部２１と連結部２２を一体的に成型したものと、取っ手部２３の二つに分けて成型し、これらを接着剤等で接合する構成としている。
【００３０】
＜把持部＞
把持部２１は、拭き取り部材１０を着脱するための開口２４が設けられた断面略コ字状の部材で、開口２４に沿って、把持部２１の内側へ向かって延出する押さえ部２５が設けられている。なお、開口２４の幅は、拭き取り部材１０の径よりも小さく形成されている。例えば前記４５ｍｍの芯材１１を用いた場合、把持部２１の大きさは、４０ｍｍで、開口２４の幅を３０ｍｍに形成している。この大きさで使用した場合、装着作業、および、使用状態において、拭き取り部材１０の脱落がなく安定した使用を行えた。
【００３１】
さらに、把持部２１の先端部には、図３に示すように、円筒の内側かつ奥側へ向かって突起２６を突出させて係止部を形成する。
また、図４に示すように、把持部２１の先端部に板状の係止片２７を設けることにより、係止部を形成してもよい。
【００３２】
＜取っ手部＞
把持部２１の後端部には、斜め上方へ向かって連結部２２が延設されている。さらに、この連結部２２から斜め上方へ向かって取っ手部２３が延設されている。なお、連結部２２は、把持部２１に対して約２４°の傾斜を有して形成されており、取っ手部２３は、連結部２２に対して約８°の傾斜を有して形成されている。このように、把持部２１に対して取っ手部２３が傾斜して取り付けられているため、拭き取り部材１０の拭き取り面を被拭き取り面に容易に押し付けることができ、作業効率を向上させることができる。
【００３３】
また、取っ手部２３の後端部には、拭き取り具をフック等に掛けるための孔２８が設けられている。したがって、壁等に取り付けられたフック等に拭き取り具を掛けることができ、拭き取り具の保管が容易となる。
【００３４】
なお、連結部２２および取っ手部２３の傾斜角度は適宜変更して実施することができる。また、連結部２２を省略してもよい。
【００３５】
＜把持部材に対する拭き取り部材の着脱＞
把持部材２０に拭き取り部材１０を取り付けるには、拭き取り部材１０の一端を、芯材１１の弾性力に抗して押し縮めることにより把持部２１の先端に挿入し、把持部２１の奥へ向かってスライドさせる。拭き取り部材１０が把持部２１内に収容されると、拭き取り部材１０が弾性力により元に戻ろうとして、長さ方向の略中央部分が押さえ部２５に向かって押さえつけられ、また係止部により抜け止めがなされる。
【００３６】
把持部２１に取り付けた拭き取り部材１０は、芯材１１の長手方向に布材１２の畝形状が延びているため、畝形状の並列方向が拭き取り方向となる。
なお、コーナー部等の拭き取りを行う場合には、拭き取り部の先端を把持部２１から若干引き出した状態とすることにより、把持部２１の先端が邪魔にならず、コーナー部等の拭き取りを容易に行うことができる。
【００３７】
拭き取り面が汚れた場合には、拭き取り部材１０の先端を、芯材１１の弾性力に抗して押し縮めることにより係止部の係止を外した後、把持部２１の開口２４側へ引き抜き、拭き取り面を入れ替えて、再び上記した手順により把持部材２０に拭き取り部材１０を取り付ければよい。
【００３８】
また、全ての拭き取り面が汚れた場合には、布材１２を芯材１１から外して、あるいは芯材１１とともに洗浄して乾燥させればよい。これにより、拭き取り部材１０を繰り返し使用することができるとともに、常に清潔な拭き取り面により拭き取り作業を行うことができる。
【００３９】
本実施形態に係る拭き取り具は、乾式および湿式両用とすることができるので、家具の乾拭き、階段や床掃除、埃取り、靴磨き、鏡、ガラス、ケース、カウンター、事務机、手摺りの掃除、風呂掃除、ブラインド・窓掃除、洗車等、拭き取り面に付着した汚れを拭き取る全ての清掃作業に使用することができる。
【００４０】
また、拭き取り能力が極めて高いので、頑固な油汚れであっても少量の洗剤で拭き取ることができ、また軽微な汚れの場合には洗剤を使用しないでも拭き取ることができる。
【図面の簡単な説明】
【００４１】
【図１】本発明の実施形態に係る拭き取り具の斜視図。
【図２】本発明の実施形態に係る拭き取り具の分解斜視図。
【図３】本発明の実施形態に係る拭き取り具の把持部を示す斜視図。
【図４】本発明の他の実施形態に係る拭き取り具の把持部を示す斜視図。
【符号の説明】
【００４２】
１０  拭き取り部材
１１  芯材
１２  布材
２０  把持部材
２１  把持部
２２  連結部
２３  取っ手部
２４  開口
２５  押さえ部
２６  突起
２７  係止片
２８  孔
【図１】
2005066069.tif 000004
【図２】
2005066069.tif 000005
【図３】
2005066069.tif 000006
【図４】
2005066069.tif 000007